(57)【要約】  複数の薬液を混和した混和薬液を被験者に注入する装置において、その混和薬液の注入条件を簡単に設定することができる薬液注入装置を提供する。薬液注入装置（１００）は、希釈造影剤を被験者に注入する注入ヘッド（１１０）と、コントローラ装置（５０）とを備えている。コントローラ装置（５０）は、希釈造影剤の注入速度の入力を受け付ける処理と、オペレータによる混和比率の入力を受け付ける処理と、その混和比率に応じた造影剤の注入速度を計算する処理と、その混和比率に応じた生理食塩水の注入速度を計算する処理と、を行う。注入ヘッド（１１０）は、計算された造影剤の注入速度および生理食塩水の注入速度で、造影剤および生理食塩水を注入する。
2011125987.tif 000002
【特許請求の範囲】
【請求項１】
第１の薬液と第２の薬液とを混和した混和薬液を被験者に注入する注入ヘッドと、
前記混和薬液の注入条件を設定するための画面が表示されるディスプレイを有するコントローラ装置と、を備える薬液注入装置であって、
前記コントローラ装置は、
前記混和薬液の注入速度の入力を受け付ける処理と、
オペレータによる、第１の薬液と第２の薬液との混和比率もしくは混和倍率（以下、混和比率等という）の入力を受け付ける処理と、
入力された前記混和比率等に応じた前記第１の薬液の注入速度を計算する処理と、
入力された前記混和比率等に応じた前記第２の薬液の注入速度を計算する処理と、
を行い、
前記注入ヘッドは、
計算された第１の薬液の注入速度および第２の薬液の注入速度で、前記第１および第２の薬液を注入することを特徴とする薬液注入装置。
【請求項２】
前記ディスプレイがタッチパネル式であり、
混和比率等の入力を受け付ける前記処理では、
前記ディスプレイに前記混和比率等を変更するための画像ボタンが表示され、オペレータが指先または入力ペンで前記画像ボタンに触れながら該指先または入力ペンを動かすことにより前記混和比率等が変更される、
請求項１に記載の薬液注入装置。
【請求項３】
前記コントローラ装置が、さらに、
前記混和薬液の注入量の入力を受け付ける処理と、
入力された前記混和比率等に応じた前記第１の薬液の注入量を計算する処理と、
入力された前記混和比率等に応じた前記第２の薬液の注入量を計算する処理と、
を行う、
請求項１または２に記載の薬液注入装置。
【請求項４】
前記コントローラ装置が、さらに、
前記混和薬液の注入動作中における、オペレータによる前記混和比率等の変更を受け付ける処理と、
変更されたその混和比率等に応じた前記第１の薬液の注入速度を計算する処理と、
変更されたその混和比率等に応じた前記第２の薬液の注入速度を計算する処理と、
を行い、
前記注入ヘッドは、
計算された変更後の第１の薬液の注入速度および第２の薬液の注入速度で、前記第１および第２の薬液を注入する、
請求項１〜３のいずれか１項に記載の薬液注入装置。
【請求項５】
前記コントローラ装置が、さらに、
前記混和薬液の注入速度と前記混和薬液の注入量とを前記ディスプレイに表示する処理を行う、
請求項３に記載の薬液注入装置。
【請求項６】
前記コントローラ装置は、前記ディスプレイに表示された所定の画像ボタンが押された場合に、
計算された前記第１の薬液の注入速度および注入量と、
計算された前記第２の薬液の注入速度および注入量と、
を前記ディスプレイに表示する処理を行う、
請求項５に記載の薬液注入装置。
【請求項７】
前記コントローラ装置が音声入力機能を備えており、
該音声入力機能を用いて、オペレータによる前記混和比率等の入力を行うことができる、
請求項１〜６のいずれか１項に記載の薬液注入装置。
【発明の詳細な説明】
【技術分野】
【０００１】
本発明は、複数の薬液を混和した濃度の違う薬液を被験者に注入する装置に関し、特には、その混和薬液の注入条件を簡単に設定することができる薬液注入装置に関する。
【背景技術】
【０００２】
現在、医療用の画像診断装置として、ＣＴ(Computed Tomography)スキャナ、ＭＲＩ(Magnetic Resonance Imaging)装置、ＰＥＴ(Positron
Emission Tomography)装置、およびＤＳＡ（Digital Subtraction Angiography、血管造影装置）等が知られている。このような撮像装置を使用する際、被験者に造影剤や生理食塩水など（以下、これらを単に「薬液」とも言う）を注入することがある。【０００３】
従来、この注入を自動的に実行する様々薬液注入装置が提案されている。例えば特許文献１には、造影剤と生理食塩水とを同時注入することによって、所定濃度に希釈された造影剤（以下、希釈造影剤という）を被験者に注入する装置が開示されている。【０００４】
このような注入を行う場合、事前に、各薬液の注入速度および注入量が設定される。一例として、希釈造影剤を３．０ｍｌ／ｓｅｃで２０ｍｌ注入したい場合、例えば造影剤の注入速度を１.８ｍｌ／ｓｅｃ、注入量を例えば１２ｍｌに設定し、生理食塩水の注入速度を例えば１.２ｍｌ／ｓｅｃ、注入量を例えば８ｍｌに設定する。そして、造影剤と生理食塩水をこの条件で同時注入することにより、希釈造影剤が３．０ｍｌ／ｓｅｃで２０ｍｌ注入される。
【先行技術文献】
【特許文献】
【０００５】
【特許文献１】ＷＯ２００７／１１６８４０
【発明の概要】
【発明が解決しようとする課題】
【０００６】
しかしながら、従来の構成では、希釈造影剤の注入条件を設定するために造影剤の注入速度および注入量と、生理食塩水の注入速度および注入量を入力する必要があったので、設定作業が比較的手間のかかるものであった。また、従来の構成では、所定の希釈率（混和比率）を得たい場合には、各薬液の注入速度等を微調整する必要があった。そのため、注入条件をより簡単に設定できる使い易い薬液注入装置の開発が望まれていた。【０００７】
本発明は上記課題に鑑みてなされたものであって、その目的は、複数の薬液を混和した混和薬液を被験者に注入する装置において、その混和薬液の注入条件を簡単に設定することができる薬液注入装置を提供することにある。
【課題を解決するための手段】
【０００８】
上記課題を解決するための本発明の薬液注入装置は、
第１の薬液と第２の薬液とを混和した薬液（混和薬液）を被験者に注入する注入ヘッドと、
前記混和薬液の注入条件を設定するための画面が表示されるディスプレイを有するコントローラ装置と、を備える薬液注入装置であって、
前記コントローラ装置は、
前記混和薬液の注入速度の入力を受け付ける処理と、
オペレータによる、第１の薬液と第２の薬液との混和比率もしくは混和倍率（以下、混和比率等という）の入力を受け付ける処理と、
入力された前記混和比率等に応じた前記第１の薬液の注入速度を計算する処理と、
入力された前記混和比率等に応じた前記第２の薬液の注入速度を計算する処理と、
を行い、
前記注入ヘッドは、
計算された第１の薬液の注入速度および第２の薬液の注入速度で、前記第１および第２の薬液を注入することを特徴とする。【０００９】
「コントローラ装置」は、独立した装置として設けられていてもよいし、または、他の機器の機能の一部として設けられていてもよい。
「混和薬液の注入速度の入力を受け付ける処理」では、オペレータが注入速度を手入力してもよいし、ＩＣタグなどの情報記憶媒体から注入速度の情報が読み取られそれが自動的に入力されてもよい。【００１０】
本発明によれば、混和薬液の注入速度と混和比率等とを入力することで、注入条件の設定を完了することができる。【００１１】
本発明の他の薬液注入装置では、
前記ディスプレイがタッチパネル式であり、
混和比率等の入力を受け付ける前記処理では、
前記ディスプレイに前記混和比率等を変更するための画像ボタンが表示され、オペレータが指先でまたは入力ペンで該画像ボタンに触れながら該指先または入力ペンを動かすことにより混和比率等が変更される。【００１２】
このように、タッチパネル方式で入力が行われる構成によれば、より直感的で簡単な入力が可能となる。【００１３】
本発明の他の薬液注入装置では、
前記コントローラ装置が、さらに、
前記混和薬液の注入動作中における、オペレータによる前記混和比率の変更を受け付ける処理と、
変更されたその混和比率等に応じた前記第１の薬液の注入速度を計算する処理と、
変更されたその混和比率等に応じた前記第２の薬液の注入速度を計算する処理と、
を行い、
前記注入ヘッドは、
計算された変更後の第１の薬液の注入速度および第２の薬液の注入速度で、前記第１および第２の薬液を注入する。【００１４】
このような構成によれば、注入動作中に混和比率等を変更できるので、例えばアンギオ検査において体内のそれぞれの関心部位（ＲＯＩ：Ｒｅｇｉｏｎ  ｏｆ  Ｉｎｔｅｒｅｓｔ）に、適切な条件（濃度）で薬液を注入することが可能となる。
【発明の効果】
【００１５】
上述したように、本発明によれば、複数の薬液を混和した混和薬液を被験者に注入する装置において、その混和薬液の注入条件を簡単に設定することができる薬液注入装置が提供される。
【図面の簡単な説明】
【００１６】
【図１】本発明の一形態の薬液注入装置およびそれを含むシステムの模式図である。
【図２】コントローラ装置のディスプレイに表示される画像を示す図である。
【図３】図２の画面でインフォメーションボタンを押した場合の画像を示す図である。
【図４】図２の画面で注入速度の画像ボタンをした場合の画像を示す図である。
【図５】画像ボタンに触れて混和比率を変更する様子を示す図である。
【図６】図２の画面でスタンバイボタンを押した場合の画像を示す図である。
【図７】本発明の他の動作例を説明するためのフローチャートである。
【図８】ディスプレイに表示される他の画面の一例を示す図である。
【図９】ディスプレイに表示される他の画面の一例を示す図である。
【図１０】混和倍率による条件設定の一例を示す図である。
【図１１】ディスプレイに表示されるさらに他の画面の一例を示す図である。
【図１２】ディスプレイに表示されるさらに他の画面の一例を示す図である。
【発明を実施するための形態】
【００１７】
以下、図面を参照して本発明の実施の一形態を説明する。
図１に示すように、本実施形態の透視撮像システムは、薬液注入装置１００と、それに相互接続された透視撮像装置３００とを備えている。注入装置１００は、被験者に対して造影剤を注入する注入ヘッド１１０およびその注入条件を設定するためのコントローラ装置５０を含む。
【００１８】
注入ヘッド１１０は従来一般的なものを利用することができ、この例では、造影剤が充填されたシリンジＡ（第１のシリンジ）と生理食塩水が充填されたシリンジＢ（第２のシリンジ）とが装着される二筒式の注入ヘッドが利用されている。
【００１９】
注入ヘッド１１０は、一例として、キャスタスタンドに回動可能に保持されている。詳細な図示は省略するが、注入ヘッド１１０は、各シリンジのピストン部材を押し込むためのピストン駆動機構を有している。ピストン駆動機構は、各シリンジＡ、Ｂに対応して１つずつ設けられている。ピストン駆動機構は、駆動源であるモータと、該モータからの力を伝達するためのリンク機構と、該リンク機構によって伝達された力を受けて進退移動する部材と、を有している。
【００２０】
注入ヘッド１１０は、さらに、シリンジまたはその保護カバー（不図示）に取り付けられたＩＣタグの情報を読み取るためのタグリーダを有していてもよい。このＩＣタグには、シリンジに関する情報や、プレフィルドシリンジの場合には該シリンジに充填された薬液の情報を記録可能である。シリンジに関する情報は、例えば、シリンジの識別データ（例えばロットナンバー）、シリンダ部材の耐圧のデータ、シリンダ部材の内径のデータ、ピストン部材のストロークのデータであってもよい。充填された薬液の情報は、例えば、薬液の名称（製品名）、ヨード量などの成分情報、粘度、消費期限等であってもよい。
【００２１】
図１に示すように、コントローラ装置５０はタッチパネル式のディスプレイ５１を有している。このディスプレイ５１には、例えば注入条件を設定するための画像が表示される（詳細下記）。ディスプレイ５１には、また、シリンジ内の薬液の情報や、薬液注入中の薬液の注入圧力（ピストン部材を押す力）の情報などが表示されてもよい。
【００２２】
コントローラ装置５０は、コンピュータユニット（不図示）を内蔵しており、このコンピュータユニットは、タッチパネルを介しての種々の情報の入力を受け付ける処理や、入力された情報に基づいて所定の計算を行う処理や、注入ヘッド１１０の動作を制御する処理などを行う。コンピュータユニットは、いわゆるワンチップマイコンであってもよく、ＣＰＵ(Central Processing Unit)、ＲＯＭ(Read Only Memory)、ＲＡＭ(Random Access
Memory)、およびＩ／Ｆ(Interface)などのハードウェアを有している。コンピュータユニットは、そのＲＯＭなどの情報記憶媒体に所定のプログラムが記憶されており、このプログラムに対応してＣＰＵが各種の処理を実行する。
【００２３】
なお、注入ヘッド１１０にタッチパネル式のサブディスプレイ（不図示）が設けられていてもよい。また、コントローラ装置５０にはハンドコントローラ（不図示）が接続されていてもよく、オペレータがこのハンドコントローラを操作して所定の入力を行うことができるように構成されていてもよい。
【００２４】
透視撮像装置３００は、一例として、被験者を載せて水平方向に移動するベッド３０３と、被検者の透視画像を撮像する装置本体３０２と、モニタおよびキーボード等を有する制御部（不図示）と、を備えている。
【００２５】
図２は、ディスプレイ５１に表示される注入条件設定用の画面を示している。この画面では、画面中央のやや上方に第１のシリンジ（造影剤）を表す画像２０Ａが表示されている。画面中央のやや下方に第２のシリンジ（生理食塩水）を表す画像２０Ｂが表示されている。
【００２６】
この上下２つのシリンジ画像２０Ａ、２０Ｂの間に、３つの画像３１、３３、３５が横に並んで表示されている。画像３１には、希釈造影剤の注入速度が表示されており、この例では、ウィンドウ内に「３．０」（ｍｌ／ｓｅｃ）と表示されている。これは、希釈造影剤が３．０ｍｌ／ｓｅｃの速度で被験者に注入されることを示している。画像３１はボタンとしての機能も有しており、後述するように、この画像３１が押されるとテンキー４１が現れる（図４参照）。このテンキー４１を介して数値入力を行うことができる。
【００２７】
画像３３には、希釈造影剤の注入量が表示されており、この例では、ウィンドウ内に「２０」（ｍｌ）と表示されている。これは、２０ｍｌの希釈造影剤が被験者に注入されることを示している。この画像３３も、画像３１と同じように、ボタンとしての機能を有しており、画像３３が押されると上記と同様のテンキーが現れるようになっている。
【００２８】
画像３５には、造影剤と生理食塩水の混和比率が表示されており、この例では、「５０／５０」と表示されている。これは、造影剤と生理食塩水の混和比率が５０：５０（１：１）であることを示している。この画像３５もボタンとしての機能を有している。具体的には、この画像３５の一部にタッチしながら指先を上下に（一例）動かすことにより、混合比率が変更されるようになっている（詳細後述）。
【００２９】
図２に示すように、画面には上記の他にも次のような画像が表示されている。注入時間表示部２４は、予定の注入時間を示すためのものであり、この例では、「０：０７」（ｓｅｃ）と表示されている。これは、薬液注入が７秒間行われることを示している。
【００３０】
インフォメーションボタン２５は、画面の右側に表示されており、このボタン２５を押すと図３に示すように、造影剤の注入速度および注入量の表示３７ａと、生理食塩水の注入速度および注入量の表示３７ｂとが表示される。この例では、造影剤の注入速度は１．５ｍｌ／ｓｅｃであり、注入量は１０ｍｌである。同様に、生理食塩水の注入速度、注入量もそれぞれ１．５ｍｌ／ｓｅｃ、１０ｍｌである。
【００３１】
本実施形態では、一例として、インフォメーションボタン２５を押すまではこれらの情報（各薬液の注入速度および注入量）は表示されない。このような構成によれば、ボタン２５が押されない状態での画面の表示（図２参照）がシンプルとなり、必要な情報のみが画面に表示されることとなる。よって、オペレータが画面上の情報を確認し易いものとなる。
【００３２】
再び画像の説明に戻り、図２に示すように、画面の左下には、圧力リミット値を示す丸型のインジケータ画像２８が表示されている。この例では、圧力リミット値は「８００」ＰＳＩを示している。また、画面の右上には、「スタンバイ」と表示されたボタン２９が表示されている。
【００３３】
次に、上記のように構成された本実施形態の薬液注入装置１００の動作について具体的に説明する。なお、以下に説明する工程は単なる一例であって、各工程を行う順番などによって本発明が限定されるものではない。
【００３４】
まず、希釈造影剤の注入速度（ここでは３．０ｍＬ／ｓｅｃ）の入力が行われる（図２参照）。この入力は、一例として、図４に示すように、オペレータが画像３１を押すとテンキー４１が現れ、オペレータがこのテンキー４１を介して数値入力することで行われるものであってもよい。あるいは、シリンジまたはその保護カバー（不図示）に設けられたＩＣタグに記憶された情報を注入ヘッド１１０が読み取り、その情報がコントローラ装置５０に送られて、コントローラ装置５０に自動的に入力されるものであってもよい。
【００３５】
なお、ＩＣタグではなく、シリンジまたはその保護カバーにマグネットおよび／または金属が設けられており、これらを識別することで所定の情報が読み出される構成であってもよい。
【００３６】
上記注入速度の入力と同時にまたはその後（一例）に、希釈造影剤の注入量（ここでは２０ｍｌ）の入力が行われる。この入力も、上記同様、図４に示したようなテンキー４１を介してオペレータによって数値入力されるものであってもよい。あるいは、シリンジまたはその保護カバーに設けられたＩＣタグに記憶された情報を注入ヘッド１１０が読み取り、その情報がコントローラ装置５０に送られて、コントローラ装置５０に自動的に入力されるものであってもよい。
【００３７】
さらに、上記注入速度等の入力と同時にまたはその後（一例）に、混和比率（ここでは５０：５０）の入力が行われる。この入力は、例えば所定の混和比率（５０：５０）がデフォルト値として自動的に設定されるものであってもよい。オペレータは、必要に応じて、この混和比率の変更を行う。オペレータがこの比率を変更する場合、図５に示すように、オペレータは指先で画像３５の一部に触れ、指先を上下に動かすことで混和比率を変更することができる。図５の画面では、一例として混和比率が「６０／４０」に変更されている。
【００３８】
上記のように注入速度、注入量、および混和比率が入力された場合、コントローラ装置５０は下記の処理を行う。
入力された混和比率に応じた造影剤の注入速度（１．５ｍｌ／ｓｅｃ）を計算する処理、
入力された混和比率に応じた生理食塩水の注入速度（１．５ｍｌ／ｓｅｃ）を計算する処理、
入力された混和比率に応じた造影剤の注入量（１０ｍｌ）を計算する処理、および、
入力された混和比率に応じた生理食塩水の注入量（１０ｍｌ）を計算する処理。
【００３９】
混和比率が変更された場合、コントローラ装置５０は下記の処理を行う。
変更された混和比率に応じた造影剤の注入速度（１．８ｍｌ／ｓｅｃ）を計算する処理、
変更された混和比率に応じた生理食塩水の注入速度（１．２ｍｌ／ｓｅｃ）を計算する処理、
変更された混和比率に応じた造影剤の注入量（１２ｍｌ）を計算する処理、および、
変更された混和比率に応じた生理食塩水の注入量（８ｍｌ）を計算する処理。
【００４０】
上記工程によって注入条件の設定が完了したら、その後、オペレータが画面右上のスタンバイボタン２９（図２参照）を押す。これにより、図６に示すように画面に切り替わる。なお、図６の画面は混和比率が５０：５０の例を示している。この画面では、注入速度を示す画像３１の中に、注入速度を視覚的に表示するためのインジケータ３１ａが表示されている。また、画面右上のボタン２９のところには「ＳＴＡＲＴ  ＯＫ」と表示されている。
【００４１】
次いで、オペレータがこの「ＳＴＡＲＴ  ＯＫ」のボタン２９を押すことにより、または、注入ヘッド上の不図示のボタンを押すことにより、薬液注入が開始される。具体的には、注入ヘッド１１０の各ピストン駆動機構が、上記工程により計算された所定の注入速度（例えば１．５ｍｌ／ｓｅｃ）で各薬液を注入するように動作する。これにより、この例では、シリンジＡ、Ｂから同量の薬液が押し出され、造影剤と生理食塩水とが１：１の割合で混和された希釈造影剤が被験者に注入される。
【００４２】
この希釈造影剤を２０ｍｌ注入したところで、注入動作は自動的に終了する。
【００４３】
以上説明した本実施形態の薬液注入装置によれば、希釈造影剤の注入速度、注入量、および混和比率の３つを入力することで注入条件の設定を完了することができる。このような構成によれば、それぞれの薬液の注入速度および注入量を設定する方式に比べて簡単に注入条件を設定することができる。
【００４４】
なお、本発明においては、希釈造影剤の注入速度および混和比率のみが入力され、これにより、所定の混和比率の希釈造影剤が所定の注入速度で注入される構成とすることもできる。
上記形態では、造影剤と生理食塩水を注入する例について説明したが、これに限定されるものではなく、例えば、２種類の造影剤を混和したり、抗癌剤を生理食塩水で希釈したりするものであってもよい。
【００４５】
上記形態では、画面（例えば図２）を操作することで混和比率の変更が行われる例について説明したが、音声入力によってこのような変更を実施できるようになっていてもよい。薬液注入装置に音声入力を受け付ける機能を持たせることにより、これを実現することができる。このような構成によれば、施術中であっても、医師は装置に触ることなく混和比率の変更を行うことができる。
【００４６】
〔他の実施形態１〕
本発明は上記実施形態に限定されるものではなく、種々変更可能である。
例えば図７に示すように、上記実施形態同様に希釈造影剤の注入条件を設定し（ステップＳ１）、注入（施術）が開始（ステップＳ２）された後、その施術の途中で混和比率を変更できるように構成されていてもよい（ステップＳ３ａ）。
【００４７】
血管造影検査（アンギオ検査）の場合、次のような施術が行われることがある：被験者体内の所定の関心部位（ＲＯＩ）までカテーテルを挿入した状態で、所定濃度の希釈造影剤を注入してその部位の検査を行い、続いて、カテーテル先端を別の関心部位に移動させて別の濃度の希釈造影剤を注入してその部位の検査を行う。このような検査においては、施術中に異なる濃度の造影剤を注入する必要がある。本実施形態のように施術の途中で混和比率を変更できる構成の場合、それぞれの関心部位に適した濃度の希釈造影剤を注入することが可能となる。
【００４８】
また、図７に示すように、施術中に希釈造影剤の注入速度を変更できるように構成されていてもよい（ステップＳ３ｂ）。この変更は、例えば、オペレータがコントローラ装置５０のハンドコントローラを操作することによって変更されるものであってもよい。具体的には、混和比率は一定のまま、注入速度のみが変更されるようになっていてもよい。
【００４９】
このように、施術中に注入速度を変更できる構成の場合、上記同様、各関心部位に応じて適切な条件で造影剤を注入することができる。なお、本発明の装置はステップＳ３ａの機能またはステップＳ３ｂの機能の一方のみを備えていてもよい。
【００５０】
さらに他の例として、コントローラ装置５０のディスプレイに所定の画像ボタンが表示され、そのボタンを押すと、希釈造影剤の注入が完了した後に所定量の生理食塩水が続けて注入されるように構成されていてもよい。
【００５１】
このような構成によれば、チューブ内やカテーテル内に残った造影剤を生理食塩水で後押しすることができる。つまり、チューブ内やカテーテル内に残った造影剤を最後まで所望の圧力で被験者に注入することができるため、最後まで良好な造影効果を得ることができる。
【００５２】
さらに他の例として、例えば、図２の画面左上に表示されたＡＮＧＩＯボタンを押すことにより、シリンジＡの造影剤のみを注入するモード（Ａモード）と、シリンジＢの生理食塩水のみを注入するモード（Ｂモード）とに切り替えられるようになっていてもよい。より具体的には、そのボタンを押すことにより、Ａモードと、Ｂモードと、両方のシリンジＡ、Ｂの薬液を注入するモードであるＡ＋Ｂモードとが、上記が順に切り替わるようになっていてよい。
【００５３】
このような、いずれか一方のシリンジの薬液のみを注入するモードが用意されていない場合、仮に造影剤を希釈せずに注入したい場合、混和比率を５０：５０（一例）から１００：０に設定し直す必要がある。さらには、その後、混和比率を再び５０：５０（一例）に戻して希釈注入を行う必要がある。一方、上記のように各モードが切り替わるようになっている場合、そのような混和比率の変更作業を行う必要がないため、使い勝手の良いものとなる。
【００５４】
〔他の実施形態２〕
本発明の薬液注入装置に表示される画面としては、図８および図９のようなものであってもよい。この例では、上記実施形態同様、画面中に２つのシリンジ画像２２０Ａ、２２０Ｂが表示されている。シリンジ画像２２０Ａ、２２０Ｂの間には、シリンジ内の薬液の量を示する目盛り（一例として０ｍｌ〜１５０ｍｌ）が表示されている。
【００５５】
この画面では、上記実施形態の画像３１に相当する画像２３１が表示されている。画像２３１には、希釈造影剤の注入速度が表示されており、この例では「３．０」（ｍｌ／ｓｅｃ）と表示されている。この画像２３１はボタンとしての機能も有しており、この画像２３１が押されるとテンキー（不図示）が現れ、このテンキーを操作することにより注入速度を変更できる。
【００５６】
この画像２３１中には複数のセグメントが横に並んだインジケータ２３１ａが表示されている。このインジケータ２３１ａは、この装置で設定可能な速度の範囲を示すものである。例えば、上限の速度が１０ｍｌ／ｓｅｃである場合において３．０ｍｌ／ｓｅｃが選択されているときには、全セグメント中の３割が所定の色で表示されるようになっている。このようなインジケータ２３１ａが設けられていることにより、オペレータは直感的に、速度の上限値に対する現在の設定値の割合を確認することができる。
【００５７】
図８に示すように、この画面では、上記実施形態の画像３３に相当する画像２３３が表示されている。画像２３３には、希釈造影剤の注入量が表示されており、この例では「２０」（ｍｌ）と表示されている。この画像２３３も、画像２３１と同じようにボタンとしての機能を有しており、画像２３３が押されると上記と同様のテンキーが現れる。また、上記したインジケータ２３１ａと同様のインジケータがこの画像２３３内にも表示されている。
【００５８】
画像２３５（図８）は、造影剤と生理食塩水の混和比率を示す画像である。混和比率を変更する場合、この画像２３５を押すと図９に示すようなウィンドウ２５５が表示される。このウィンドウ２５５内にはテンキー等の他に、縦に複数並んだカラーセグメント２５５ａ（この例では１０個）が表示されている。各セグメント２５５ａはボタンとしての機能を有している。例えば、上から２つ目のセグメント２５５ａを押すことにより、混和比率が９０：１０にセットされる。
【００５９】
ウィンドウ２５５内には、さらに、画面上を上下にスライド移動させることができるスライダ２５６も表示されている。このスライダ２５６を上下に移動させることによっても混和比率を変更することができる。
【００６０】
図８の画面では、また、一例としてシリンジ画像２２０Ｂの下に、薬液の圧力リミット値をセットするための複数の画像ボタン２３７が表示されている。複数の画像ボタン２３７は、この例では、横に一列に並んでいる。画像ボタン２３７は１２個表示されており、それぞれのボタンは、左から順に、１２００、１１００、１０００、９００、８００、７００、６００、５００、４００、３００、２００、１００ＰＳＩに対応している。特に限定されるものではないが、これらの画像ボタン２３７のうち１２００、８００、４００ＰＳＩに対応するものにのみ、圧力リミット値の数字が表示されており、他のボタンについては数字は表示されていない。
【００６１】
オペレータがこれらの画像ボタン２３７のうち１つを選ぶことにより、薬液の圧力リミット値が設定される。公知の制御方法と同じように、例えば薬液注入中における薬液の圧力が設定された圧力リミット値を超えた場合には警告が発せられる。あるいは、薬液圧力が低下するように動作が制御されてもよい。
【００６２】
〔他の実施形態３〕
本発明の薬液注入装置に表示される画面としては、図１０のようなものであってもよい。この例では、図２に示したような混和比率ではなく、混和倍率による条件設定が行われる。
【００６３】
図１０に示すように、ウィンドウ３５５内には上下方向に長く延びる倍率表示部３５１が表示されている。その表示部３５１の横には「１」〜「９」といった数字（ただし、「６」〜「８」についてはドットで表示されている）が表示されている。この数字は混和倍率を示している。
【００６４】
例えば混和倍率が１であるということは、造影剤を希釈せずに注入することを意味する。混和比率が２であるということは、造影剤を２倍に希釈する（すなわち混和比率５０：５０）であることを意味する。このことを直感的に理解できるように、本実施形態では、「２」の文字が縦長の表示部３５１のほぼ真ん中に表示されている。
【００６５】
混和比率が３であるということは、造影剤を３倍に希釈する（すなわち混和比率１：２）であることを意味する。このことを直感的に理解できるように、「３」の文字は、縦長の表示部を１：２の割合（造影剤が２）で分割する位置に表示されている。混和比率４倍〜９倍についても、これと同様の位置に各数字が表示されている。
【００６６】
数字「２」〜「９」のそれぞれの位置に対応して水平なライン３５１ａ〜３５１ｈが表示されている。縦長の表示部３５１の右横には上下にスライド可能なスライダ３５６が表示されている。オペレータがこのスライダ３５６に触れて上下に動かすことにより、所望の混和倍率を選択することができる。なお、指で触れることよってスライダが動かされてもよいし、所定の入力ペン等によってスライダが動かされてもよい。
【００６７】
特に限定されるものではないが、選択された混和倍率は、画像２３５内に文字として表示される。図１０の例では、スライダ３５６によって「２」倍が選択され、画像３３５内には「２倍希釈」と表示されている。
【００６８】
図１０ような構成によれば、混和倍率を指定して条件設定を行うことが可能であるため、医師は、多様な設定方法を行うことができ、より使い勝手の良い装置を提供することができる。
【００６９】
なお、当然ながら、図１０のような混和倍率を入力する実施形態と、上述した実施形態とを適宜組み合わせることも可能である。例えば、混和倍率の入力が音声入力手段を通じて行われるものであってもよい。
【００７０】
また、混和倍率が入力された後の処理については、上述した実施形態と同様であり、例えば混和倍率が３倍と入力された場合には、その混和倍率に応じて造影剤の注入速度が計算され（一例で、１．０ｍｌ／ｓｅｃ）、同様に、その混和倍率に応じて生理食塩水の注入速度が計算される（一例で、２．０ｍｌ／ｓｅｃ）。
【００７１】
図１０の例で２０ｍｌと表示されている混和薬液の注入量に関しても、例えば混和倍率が３倍と入力された場合には、その混和倍率に応じて造影剤の注入量が計算され（２０×０．３３３…ｍｌ）、同様に、その混和倍率に応じて生理食塩水の注入量が計算される（２０×０．６６６…ｍｌ）。
【００７２】
このようにして算出された注入速度および注入量にしたがって、各薬液が注入される。
【００７３】
なお、図１０の例ではウィンドウ３５５内にテンキーも表示されており、このテンキーを介して数値を直接入力することで、混和倍率を設定することもできる。
【００７４】
〔ヨード濃度による入力〕
造影剤を生理食塩水で希釈しながら注入する注入方式においては、希釈された薬液濃度の数値が重要となることもある。例えば医師が、被験者のある関心部位に対して「３７０ｍｇＩ／ｍｌ」のヨード濃度の希釈造影剤を注入したい、というように濃度を特定する場合などである。
【００７５】
これに対応するため、コントーラ装置の画面に複数のヨード濃度の選択肢（例えば、４００、３７０、３５０、３２０、３００、２５０、２００ｍｇＩ／ｍｌ）が表示され、そのうちのいずれか選ぶと、そのヨード濃度の希釈造影剤が得られるように各シリンジの薬液の注入速度が自動的に設定されるようになっていてもよい。
【００７６】
例えば、造影剤の原液ヨード濃度４００ｍｇＩ／ｍｌの場合を考える。この場合に、上記複数の選択肢のうちオペレータが４００ｍｇＩ／ｍｌを選択したときには、希釈する必要がないため、造影剤の注入のみ（すなわち、混和比率０：１００の注入）が行われる。また、この場合に、オペレータが例えば２００ｍｇＩ／ｍｌを選択したときには、混和比率が５０：５０となるように各薬液の注入速度および注入量が自動的に変更される。そして、このようにして再設定された条件で薬液注入が実施される。
【００７７】
上記のような構成によれば、注入したいヨード濃度の数値をパラメータとして注入条件の設定を行うことができるので、より使い勝手の良い薬液注入装置を提供することができる。
【００７８】
〔ハンドスイッチによる操作〕
また、コントローラ装置のハンドコントローラを操作して、次のような薬液注入を行うことができるように構成されていてもよい。例えば、所定の混和比率（一例として５０:５０）で薬液注入を行っている最中に、このハンドコントローラを操作することにより、混和比率は維持したまま注入速度のみが増減される構成であってもよい。これによれば、被験者体内のそれぞれの関心部位に応じた好適な造影を行うことが可能となる。
【００７９】
または、薬液注入を行っている最中にハンドコントローラを操作することで、注入速度は維持したまま混和比率のみが変更される構成とすることもできる。
【００８０】
以上、本発明の一例について説明したが、上記の他にも、例えば、タッチパネルではなくマウスやキーボード等の入力手段を用いてコントローラ装置５０に所定の情報が入力される構成であってもよい。また、コントローラ装置５０がネットワークに接続されており、該ネットワーク経由で希釈造影剤の注入速度、注入量、混和比率などの情報がコントローラ装置５０に入力されるように構成されてもよい。
【００８１】
〔他の画面および機能の例〕
図１１は、ディスプレイに表示されるさらに他の画面の例を示している。この画面では、「リピート」と表示されたボタン２３８が表示されている。その他の表示（例えば画像２３１、２３３等）については、基本的には図８のものと同様であるが、ここではボタン２２９の表示は「スタンバイ」となっている。
【００８２】
リピートボタン２３８は、前回の条件と同じ条件で繰り返し注入を行うためのボタンである。一例として、前回の注入において速度３．０ｍｌ／ｓｅｃで２０ｍｌの造影剤が注入され、かつ、注入終了後にシリンジ内に十分な量の薬液が残っている状態を想定する。この場合、リピートボタン２３８を押し、次いでスタンバイボタン２２９および注入ヘッドの不図示のボタンを押すことによって、前回と同じ条件（速度３．０ｍｌ／ｓｅｃ、量２０ｍｌ）での注入が行われる。このようなリピート注入は、比較的少量の薬液を繰り返し注入する施術（例えばアンギオモード）の際に特に有用である。リピート注入は、シリンジ内の薬液残量が設定値（ここでは２０ｍｌ）より少なくなるまで実施可能である。
【００８３】
なお、図１１の画面で、リピートボタン２３８およびスタンバイボタン２２９を押した時点（「スタンバイ」の表示が「スタートＯＫ」となっている）で、画面上に所定の「もどる（ＢＡＣＫ）」ボタンが表示されるようになっていてもよい。このボタンを押すことにより、設定画面に戻り、この設定画面上で注入条件を再度変更することができる。
【００８４】
図１２は、ディスプレイに表示されるさらに他の画面の例を示している。図２等に示した形態では、インフォメーションボタン２５を押すことにより注入速度や注入量が表示されたが、本発明はそれに限定されるものではない。図１２のように、画像２３１の中に薬液の注入速度２３１ｂ（一例としてＡ：１．５ｍｌ／ｓｅｃ、Ｂ：１．５ｍｌ／ｓｅｃ）が表示され、画像２３３の中に薬液の注入量２３３ｂ（一例としてＡ：１０.０ｍｌ、Ｂ：１０ｍｌ）が表示されるようになっていてもよい。
【００８５】
さらに、この場合、図１２のような表示形態にするか、または図２のようなインフォメーションボタン２５の形態とするかを、切り替えられるようになっていてもよい。
【符号の説明】
【００８６】
２５  インフォメーションボタン
２８  インジケータ画像
３１、３２、３３  画像ボタン
３５  画像（混和比率）
４１  テンキー
５０  コントローラ装置
５１  ディスプレイ
１１０  注入ヘッド
２３１、２３３画像ボタン
２３８  リピートボタン
２５５  ウィンドウ
３００  透視撮像装置
３０２  装置本体
３０３  ベッド
３５５  ウィンドウ
【図１】
2011125987.tif 000003
【図２】
2011125987.tif 000004
【図３】
2011125987.tif 000005
【図４】
2011125987.tif 000006
【図５】
2011125987.tif 000007
【図６】
2011125987.tif 000008
【図７】
2011125987.tif 000009
【図８】
2011125987.tif 000010
【図９】
2011125987.tif 000011
【図１０】
2011125987.tif 000012
【図１１】
2011125987.tif 000013
【図１２】
2011125987.tif 000014
【国際調査報告】
2011125987.tif 000015
2011125987.tif 000016
2011125987.tif 000017
2011125987.tif 000018